(57)【要約】【課題】電線に対する相対位置が電線の挿入方向にずれても、電線に対する取付状態を適切に保持する。【解決手段】筒部１０に電線を挿入し、筒部１０の各第１突片１２及び第２突片１３を筒部１０の内側にそれぞれ曲げ変形させて、曲げ変形させた第１突片１２の先端の第１係止部１５と第２突片１３の先端の第２係止部１９とを、筒部１０に挿入した電線の表面を突き破って内側に刺し込ませる。これにより、筒部１０に対する電線の相対移動を挿入方向Ｘの双方向について規制し、筒部１０に対する電線の相対位置が挿入方向Ｘにずれても、電線の外側部３１に対する第１突片１２及び第２突片１３の第１係止部１５及び第２係止部１９の係止状態を保持し、電線に対する電線取付用環状部材１の取付状態を適切に保持する。【選択図】図１
2019160419.tif 000002
【特許請求の範囲】
【請求項１】
電線が挿入される筒部と、
前記筒部に片持ち支持されて該筒部に対する前記電線の挿入方向における一方側から他方側に延出し、前記筒部の内側に変形させることで前記電線の表面を突き破って該電線の内部に刺し込まれる第１係止部が先端に形成された可撓性の第１突片と、
前記第１突片に片持ち支持されて前記挿入方向における他方側から一方側に延出し、前記筒部の内側に変形させることで前記電線の表面を突き破って該電線の内部に刺し込まれる第２係止部が先端に形成された可撓性の第２突片と、
を備える電線取付用環状部材。
【請求項２】
前記電線は絶縁被覆により芯線を被覆した被覆電線であり、前記第１係止部及び前記第２係止部は、前記第１突片及び前記第２突片を前記筒部の内側に変形させることで前記絶縁被覆に刺し込まれる請求項１記載の電線取付用環状部材。
【請求項３】
前記筒部、前記第１突片及び前記第２突片は金属材料で形成されており、前記絶縁被覆に刺し込まれた前記第１係止部及び前記第２係止部のうち少なくとも一方は、前記絶縁被覆を貫通して前記芯線に電気的に接続される請求項２記載の電線取付用環状部材。
【請求項４】
前記電線は被覆電線を編組線で被覆したシールドケーブルであり、前記筒部、前記第１突片及び前記第２突片は金属材料で形成されており、前記第１係止部及び前記第２係止部は、前記第１突片及び前記第２突片を前記筒部の内側に加締め変形させることで前記編組線に電気的に接続される請求項１記載の電線取付用環状部材。
【発明の詳細な説明】
【技術分野】
【０００１】
本発明は、電線に取り付けられる環状部材に関する。
【背景技術】
【０００２】
例えば、絶縁被覆で覆われた被覆電線の芯線に電気的に接続される端子として、被覆電線を挿入した金属製の筒部から内側に突片を延出させ、絶縁被覆を突き破った突片の先端を被覆電線の内部の芯線に到達させるものが知られている（例えば、特許文献１，２）。
【先行技術文献】
【特許文献】
【０００３】
【特許文献１】特開２００１−１２６７８５号公報
【特許文献２】実開昭６０−７５９６８号公報
【発明の概要】
【発明が解決しようとする課題】
【０００４】
上述した端子は、芯線に対する電気的接続を容易に得られる点で優れている。しかし、被覆電線に対する環状部材の位置が被覆電線の中心軸に沿って突片の先端側から基端側に向けてずれると、絶縁被覆を突き破った突片の先端が絶縁被覆から抜け出し、突片と芯線との電気的接続が解消されてしまう。
【０００５】
このような問題は、被覆電線に芯線の端子を取り付ける場合に限らず、例えば、電線の保護部材（カラー）やストッパリングを取り付ける場合、シールドケーブルの編組線にシールドシェルを取り付ける場合等、電線に環状部材を取り付ける場合にも共通する。
【０００６】
本発明は前記事情に鑑みなされたもので、本発明の目的は、電線に対する相対位置が電線の挿入方向にずれても、電線に対する取付状態を適切に保持することができる電線取付用環状部材を提供することにある。
【課題を解決するための手段】
【０００７】
上記目的を達成するため、本発明の第１の態様による電線取付用環状部材は、
電線が挿入される筒部と、
前記筒部に片持ち支持されて該筒部に対する前記電線の挿入方向における一方側から他方側に延出し、前記筒部の内側に変形させることで前記電線の表面を突き破って該電線の内部に刺し込まれる第１係止部が先端に形成された可撓性の第１突片と、
前記第１突片に片持ち支持されて前記挿入方向における他方側から一方側に延出し、前記筒部の内側に変形させることで前記電線の表面を突き破って該電線の内部に刺し込まれる第２係止部が先端に形成された可撓性の第２突片と、
を備える。
【０００８】
本発明の第１の態様による電線取付用環状部材によれば、筒部の内側に第１突片を変形させると、筒部に挿入された電線が筒部に対して挿入方向の他方側から一方側に相対移動したときに、第１突片の先端の第１係止部が、電線の表面を突き破って電線の内部に刺し込まれる。電線の内部に第１係止部が刺し込まれると、挿入方向の他方側から一方側への電線に対する筒部のさらなる相対移動が第１突片によって規制される。
【０００９】
但し、筒部に挿入された電線が筒部に対して挿入方向の一方側から他方側に相対移動されると、電線に刺し込まれた第１係止部が電線から引き抜かれる。第１係止部が電線から引き抜かれると、挿入方向の他方側から一方側への電線に対する筒部の相対移動を第１突片によって規制できなくなる。
【００１０】
ここで、筒部の内側に第２突片を変形させると、筒部に挿入された電線が筒部に対して挿入方向の一方側から他方側に相対移動したときに、第２突片の先端の第２係止部が、電線の表面を突き破って電線の内部に刺し込まれる。電線の内部に第２係止部が刺し込まれると、挿入方向の一方側から他方側への電線に対する筒部のさらなる相対移動が第２突片によって規制される。
【００１１】
このため、第１突片の第１係止部が電線に刺し込まれている状態で、第２突片の第２係止部が電線に刺し込まれていると、挿入方向の一方側から他方側への電線に対する筒部の相対移動が第２突片によって規制されるので、電線に刺し込まれた第１係止部の電線からの引き抜きが規制される。
【００１２】
また、筒部に挿入された電線が筒部に対して挿入方向の他方側から一方側に相対移動されると、電線に刺し込まれた第２係止部が電線から引き抜かれる。第２係止部が電線から引き抜かれると、挿入方向の一方側から他方側への電線に対する筒部の相対移動を第２突片によって規制できなくなる。
【００１３】
しかし、第２突片の第２係止部が電線に刺し込まれている状態で、第１突片の第１係止部が電線に刺し込まれていると、挿入方向の他方側から一方側への電線に対する筒部の相対移動が第１突片によって規制されるので、電線に刺し込まれた第２係止部の電線からの引き抜きが規制される。
【００１４】
したがって、第１の突片及び第２の突片を筒部の内側に変形させて第１の係止部及び第２の係止部を電線の内部に刺し込ませることで、電線に対する筒部の挿入方向における相対移動を一方側から他方側及び他方側から一方側の双方について同時に規制することができる。
【００１５】
よって、電線に対する相対位置が電線の挿入方向にずれても、電線に対する取付状態を適切に保持することができる。
【００１６】
なお、本発明の第２の態様による電線取付用環状部材のように、本発明の第１の態様による電線取付用環状部材において、前記電線は絶縁被覆により芯線を被覆した被覆電線であり、前記第１係止部及び前記第２係止部は、前記第１突片及び前記第２突片を前記筒部の内側に変形させることで前記絶縁被覆に刺し込まれる構成としてもよい。
【００１７】
本発明の第２の態様による電線取付用環状部材では、電線取付用環状部材は、被覆電線をその中心軸方向において位置決めするための部材として用いることができる。
【００１８】
また、本発明の第３の態様による電線取付用環状部材のように、本発明の第２の態様による電線取付用環状部材において、前記筒部、前記第１突片及び前記第２突片は金属材料で形成されており、前記絶縁被覆に刺し込まれた前記第１係止部及び前記第２係止部のうち少なくとも一方は、前記絶縁被覆を貫通して前記芯線に電気的に接続される構成としてもよい。
【００１９】
本発明の第３の態様による電線取付用環状部材では、電線取付用環状部材は、被覆電線の芯線に電気的に接続された端子として用いることができる。
【００２０】
さらに、本発明の第４の態様による電気接続装置のように、本発明の第２の態様による電気接続装置において、前記電線は芯線を被覆した絶縁被覆を編組線で被覆したシールドケーブルであり、前記筒部、前記第１突片及び前記第２突片は金属材料で形成されており、前記第１係止部及び前記第２係止部は、前記第１突片及び前記第２突片を前記筒部の内側に加締め変形させることで前記編組線に電気的に接続される構成としてもよい。
【００２１】
本発明の第４の態様による電気接続装置では、電線取付用環状部材は、シールドケーブルの編組線をシールドケーブルの接続相手側の接地端子に接続するシールドシェルとして用いることができる。
【発明の効果】
【００２２】
本発明によれば、電線に対する相対位置が電線の挿入方向にずれても、電線に対する取付状態を適切に保持することができる。
【図面の簡単な説明】
【００２３】
【図１】本発明の一実施形態に係る電線取付用環状部材の概略構成を示す斜視図である。
【図２】図１の電線取付用環状部材の電線に対する取付過程を示す断面図である。
【図３】図１の電線取付用環状部材の電線に対する取付状態を示す断面図である。
【発明を実施するための形態】
【００２４】
以下、本発明の実施形態について図面を参照して説明する。図１は本発明の一実施形態に係る電線取付用環状部材の概略構成を示す斜視図、図２は図１の電線取付用環状部材の電線に対する取付過程を示す断面図である。
【００２５】
図１に示す本実施形態の電線取付用環状部材１は、導電性の金属材料で形成されている。電線取付用環状部材１は、図２の電線３が挿入される筒部１０と、電線３の挿入方向Ｘにおける筒部１０の一端（請求項中の挿入方向の一方側に相当）に接続された有底筒状のフランジ部２０とを有している。フランジ部２０は筒部１０よりも大きい内径で形成されている。
【００２６】
筒部１０は、図２の電線の外径よりも一回り大きい内径で形成されている。電線３の挿入方向Ｘにおける筒部１０の他端（請求項中の挿入方向の他方側に相当）の、筒部１０の周方向Ｙに１８０゜位相をずらした２箇所には、電線取付部１１がそれぞれ形成されている。各電線取付部１１は、第１突片１２及び第２突片１３を有している。
【００２７】
第１突片１２は、筒部１０の一対の切り込み１４の間の部分によって構成されている。各切り込み１４は、筒部１０の他端から電線３の挿入方向Ｘに沿って形成されており、筒部１０の周方向Ｙに間隔をおいて配置されている。
【００２８】
第１突片１２は、電線３の挿入方向Ｘにおける一端側が筒部１０に片持ち支持されており、筒部１０の内側に曲げ変形可能に構成されている。第１突片１２の先端は、第１突片１２を筒部１０の内側に曲げ変形させることで筒部１０に挿入した電線３に刺し込まれる第１係止部１５を構成する。
【００２９】
第２突片１３は、第１突片１２に貫設した切り込み１６の内側の部分によって構成されている。切り込み１６は、電線３の挿入方向Ｘに沿って並行に形成された２つの切り込み部分１７，１７と、２つの切り込み部分１７，１７を電線３の挿入方向Ｘにおける一端側で接続する連絡部分１８とを有している。これらの切り込み部分１７，１７と連絡部分１８とにより、切り込み１６は略コ字状に形成されている
。
【００３０】
第２突片１３は、電線３の挿入方向Ｘにおける他端側が第１突片１２に片持ち支持されており、筒部１０の内側に曲げ変形可能に構成されている。第２突片１３の先端は、第２突片１３を筒部１０の内側に曲げ変形させることで筒部１０に挿入した電線３に刺し込まれる第２係止部１９を構成する。
【００３１】
図２の電線３は、図１の電線取付用環状部材１を取り付ける外側部３１と、外側部３１により表面が被覆された内側部３３とを有している。
【００３２】
図１の電線取付用環状部材１を図２の電線３に取り付ける際には、まず、筒部１０に電線３を挿入する。そして、図３の断面図に示すように、筒部１０の各第１突片１２及び第２突片１３を、電線３を挿入した筒部１０の内側にそれぞれ曲げ変形させる。
【００３３】
筒部１０の内側に曲げ変形させた第１突片１２の先端の第１係止部１５は、筒部１０に挿入した電線３の外側部３１の表面を突き破って外側部３１の内側に刺し込まれる。外側部３１の内側に刺し込まれた第１係止部１５は、電線３の挿入方向Ｘにおける筒部１０の他端側から一端側（フランジ部２０側）への電線３の筒部１０に対する相対移動を規制する。
【００３４】
また、筒部１０の内側に曲げ変形させた第２突片１３の先端の第２係止部１９は、筒部１０に挿入した電線３の外側部３１の表面を突き破って外側部３１の内側に刺し込まれる。外側部３１の内側に刺し込まれた第２係止部１９は、電線３の挿入方向Ｘにおける筒部１０の一端側（フランジ部２０側）から他端側への電線３の筒部１０に対する相対移動を規制する。
【００３５】
このように電線３の外側部３１に取り付けた電線取付用環状部材１は、筒部１０に対して電線３が挿入方向Ｘにおける筒部１０の一端側（フランジ部２０側）から他端側に相対移動すると、第１係止部１５が電線３の外側部３１から引き抜かれる。
【００３６】
電線３の外側部３１から第１係止部１５が引き抜かれると、筒部１０の他端側から一端側（フランジ部２０側）への電線３の筒部１０に対する相対移動を、第１突片１２の第１係止部１５によって規制できなくなる。
【００３７】
しかし、電線３の挿入方向Ｘにおける筒部１０の一端側（フランジ部２０側）から他端側への電線３の筒部１０に対する相対移動は、電線３の外側部３１に第２係止部１９が刺し込まれた第２突片１３によって規制される。このため、筒部１０に対する電線３の相対移動で第１係止部１５が電線３の外側部３１から引き抜かれることが抑制される。
【００３８】
また、筒部１０に対して電線３が挿入方向Ｘにおける筒部１０の他端側から一端側（フランジ部２０側）に相対移動すると、第２係止部１９が電線３の外側部３１から引き抜かれる。
【００３９】
電線３の外側部３１から第２係止部１９が引き抜かれると、筒部１０の一端側（フランジ部２０側）から他端側への電線３の筒部１０に対する相対移動を、第２突片１３の第２係止部１９によって規制できなくなる。
【００４０】
しかし、電線３の挿入方向Ｘにおける筒部１０の他端側から一端側（フランジ部２０側）への電線３の筒部１０に対する相対移動は、電線３の外側部３１に第１係止部１５が刺し込まれた第１突片１２によって規制される。このため、筒部１０に対する電線３の相対移動で第２係止部１９が電線３の外側部３１から引き抜かれることが抑制される。
【００４１】
このように、本実施形態の電線取付用環状部材１によれば、第１突片１２及び第２突片１３を曲げ変形させてそれぞれの先端の第１係止部１５及び第２係止部１９を電線３の外側部３１に刺し込ませることで、筒部１０に対する電線３の挿入方向Ｘにおける相対移動を双方向とも同時に規制することができる。
【００４２】
よって、筒部１０に対する電線３の相対位置が挿入方向Ｘにずれても、電線３の外側部３１に対する第１突片１２及び第２突片１３の第１係止部１５及び第２係止部１９の係止状態を保持し、電線３に対する電線取付用環状部材１の取付状態を適切に保持することができる。
【００４３】
なお、上述した電線３は、例えば、芯線を絶縁被覆で覆った被覆電線であってもよい。電線３が被覆電線である場合は、外側部３１が絶縁被覆に該当し、内側部３３が芯線に該当する。
【００４４】
そして、本実施形態の電線取付用環状部材１を、電線３を中心軸方向において位置決めするためのストッパ部材として用いる場合は、電線３の外側部３１に対して第１突片１２及び第２突片１３の第１係止部１５及び第２係止部１９を、筒部１０に対する電線３の相対移動を規制できる程度に刺し込めばよい。
【００４５】
また、本実施形態の電線取付用環状部材１を、電線３の芯線に電気的に接続された端子として用いる場合は、電線３の外側部３１に対して第１突片１２及び第２突片１３の第１係止部１５及び第２係止部１９のうち少なくとも一方を、外側部３１を貫通して内側部３３に到達するまで刺し込めばよい。
【００４６】
さらに、上述した電線３は、例えば、被覆電線の絶縁被覆の表面をノイズ保護用の編組線で被覆したシールドケーブルであってもよい。電線３がシールドケーブルである場合は、外側部３１が編組線に該当し、内側部３３が被覆電線に該当する。
【００４７】
そして、本実施形態の電線取付用環状部材１を、シールドケーブルの編組線をシールドケーブルの接続相手側の接地端子に接続するシールドシェルとして用いる場合は、電線３の外側部３１に対して第１突片１２及び第２突片１３の第１係止部１５及び第２係止部１９を、筒部１０が電線３の外側部３１に加締め固定される程度に刺し込めばよい。
【００４８】
これにより、第１係止部１５及び第２係止部１９のうち少なくとも一方を電線３の外側部３１（編組線）に電気的に接続させて、電線取付用環状部材１をシールドシェルとして機能させることができる。
【００４９】
また、第１係止部１５及び第２係止部１９の外周面側に、第１突片１２及び第２突片１３の先端に向かうにつれて先細りとなるテーパ面を形成してもよい。
【００５０】
そのように形成すれば、筒部１０に対して電線３を挿入方向Ｘにおける筒部１０の他端側から一端側（フランジ部２０側）に相対移動させたときに、筒部１０の内側に曲げ変形させた第１突片１２の第１係止部１５が、電線３の外側部３１の表面を突き破って内側に刺し込まれ易くなるようにすることができる。
【００５１】
また、筒部１０に対して電線３を挿入方向Ｘにおける筒部１０の一端側（フランジ部２０側）から他端側に相対移動させたときに、筒部１０の内側に曲げ変形させた第２突片１３の第２係止部１９が、電線３の外側部３１の表面を突き破って内側に刺し込まれ易くなるようにすることができる。
【００５２】
さらに、本実施形態では、第１突片１２内に第２突片１３を形成したが、第２突片１３が第１突片１２から延出されて第１突片１２に片持ち支持されていれば、第１突片１２の外側に第２突片１３を形成して第１突片１２に接続する構成としてもよい。
【産業上の利用可能性】
【００５３】
本発明は、電線に取り付けられる環状部材に用いて、極めて有用である。
【符号の説明】
【００５４】
１  電線取付用環状部材
３  電線
１０  筒部
１１  電線取付部
１２  第１突片
１３  第２突片
１５  第１係止部
１４，１６  切り込み
１７  切り込み部分
１８  連絡部分
１９  第２係止部
２０  フランジ部
３１  外側部
３３  内側部
Ｘ  挿入方向
Ｙ  周方向
【図１】
2019160419.tif 000003
【図２】
2019160419.tif 000004
【図３】
2019160419.tif 000005